(57)【特許請求の範囲】
【請求項１】
原稿を載置する載置手段と、
前記載置手段に載置された原稿を搬送する搬送手段と、
前記搬送手段により搬送された原稿を読みとる読みとり手段と、
前記読みとり手段により読みとられた画像情報を記憶する記憶手段と、
前記画像情報を転写紙に印刷する印刷手段と、
前記載置手段の容量を越える枚数の原稿であって、所定枚数の原稿読みとり単位に分割された原稿束を個々に読み込み、前記記憶手段に記憶する大量原稿読みとり手段と、
前記読みとり手段により読みとられた連続する複数枚の片面原稿を前記記憶手段に記憶し、前記印刷手段により転写紙の両面に印刷する両面コピー手段と、
原稿の読み直しを指示する読み直し指示手段とを備えた画像形成装置において、
前記大量原稿読みとり手段により読みとられ前記記憶手段に記憶された原稿束のデータを複数部印刷する際に、前記読み直し指示手段から原稿の読み直しが指示されたとき、前記原稿読みとり単位に分割された原稿束ごとに読み直しを行なう原稿読み直し手段と、
前記大量原稿読みとり手段により読みとられた原稿束を、前記原稿読み直し手段により読み直すとき、読み直しを行う原稿束の先頭ページが、１つ前に読みとった原稿束を印刷した転写紙の裏面に前記両面コピー手段により印刷される場合に警告を発生する両面コピー警告手段と、
前記読み直しを行う原稿束の先頭ページが転写紙の裏面に印刷される場合に、前記１つ前に読みとった原稿束の最後の１ページを、前記読み直しを行う原稿束の最初に追加する旨の表示をする第１のメッセージ表示手段と、
前記第１のメッセージ表示手段により利用者によって追加された原稿束を読み直す両面コピー読み直し手段とを備えたことを特徴とする画像形成装置。
【請求項２】
前記原稿読み直し手段が読み直しをする原稿束を指定する読み直し原稿束指定手段を備えたことを特徴とする請求項１記載の画像形成装置。
【請求項３】
前記読みとり手段により読みとられた連続する複数枚の片面原稿を前記記憶手段に記憶し、前記印刷手段により１枚の転写紙にまとめて印刷する集約コピー手段を備え、
前記大量原稿読みとり手段により読みとられた原稿束を、前記原稿読み直し手段により読み直すとき、前記読み直しを行う原稿束の先頭ページが、１つ前に読みとった原稿束を印刷した転写紙に前記集約コピー手段により印刷される場合に警告を発生する集約コピー警告手段と、
前記読み直しを行う原稿束の先頭ページが、１つ前に読みとった原稿束を印刷する転写紙に印刷される場合に、前記１つ前に読みとった原稿束の後ろから何ページを前記読み直しを行う原稿束の最初に追加するかを表示する第２のメッセージ表示手段と、
前記第２のメッセージ表示手段により利用者によって追加された原稿束を読み直す集約コピー読み直し手段とを備えたことを特徴とする請求項２記載の画像形成装置。
【発明の詳細な説明】
【０００１】
【発明の属する技術分野】
本発明は画像形成装置に関し、より詳しくは電子ソートモード且つ大量原稿モード時の原稿読み直しを行なう画像形成装置に関する。
【０００２】
【従来の技術】
従来の画像形成装置にあっては、コピーを行なう原稿を読みとり、蓄積し、ページ順に印刷するいわゆる電子ソートが行なえるようになっていた。そして、電子ソートを行った結果、印刷物が意に反したときは、印刷を中止して再度同じ操作を繰り返す必要があった。これを改善するために、電子ソートを行なう際に原稿を全て読みとり、１部のみ印刷して一旦停止し、印刷物が意図した通りであることを確認してから、複数部印刷するようにする機能（以下、試しコピーという）を備えた画像形成装置が知られている。
【０００３】
この試しコピーによれば、確定した原稿の画像に対して後から付加できるモード（例えば、印字モード、ステープルモードなど）の変更は可能であるが、原稿の画像データの不良に関しては、印刷を中止して再度同じ操作をする必用があった。
【０００４】
また、原稿トレイに全てを載置できないような大量の原稿を読み込む際に、原稿を複数の原稿束に分けて順次読み込ませて行く機能（以下、大量原稿モードという）を備る画像形成装置も知られている。
【０００５】
また、前述した試しコピーをした際に、原稿の画像データが不良であったときに原稿を再度読みとるようにした技術として、特開平６−２６６１８８号公報、特開平１１―１２７３２４号公報に記載されたものが知られている。
【０００６】
これらのものは、原稿を全て読みとり、１部のみ印刷し一旦停止してはじめて原稿の読み直しが有効となるようになっていた。
【０００７】
【発明が解決しようとする課題】
しかしながら、これら従来の画像形成装置にあっては、原稿読み込み中や印刷中に原稿の画像データ不良を発見しても、全ての原稿の読みとりが終わり、試しコピーとしての１部のみの印刷が終わるまでは原稿の読み直しを実行することができないという問題があった。
【０００８】
また、原稿の読み直しをするときには、原稿のページ数を入力する必要があるため、原稿が大量であるときは原稿のページを数えるのが煩わしいという問題があった。特に、両面印刷をするときや集約印刷をするときのように、原稿のページ数と転写紙のページ数が異なる場合には原稿のページを数えるのは困難であった。
【０００９】
そこで本発明は、上記問題を解決するために、大量原稿モードでの電子ソート処理における原稿の読み直しをする際の操作性を向上することを目的とする。
【００１０】
【課題を解決するための手段】
本発明は、上記課題を解決するため、原稿を載置する載置手段と、前記載置手段に載置された原稿を搬送する搬送手段と、前記搬送手段により搬送された原稿を読みとる読みとり手段と、前記読みとり手段により読みとられた画像情報を記憶する記憶手段と、前記画像情報を転写紙に印刷する印刷手段と、前記記憶手段に記憶された前記画像情報により複数部の印刷を行なう電子ソート手段と、前記載置手段の容量を越える枚数の原稿であって、所定枚数の原稿読みとり単位に分割された原稿束を個々に読み込み、前記記憶手段に記憶する大量原稿読みとり手段と、前記読みとり手段により読みとられた連続する複数枚の片面原稿を前記記憶手段に記憶し、前記印刷手段により転写紙の両面に印刷する両面コピー手段と、前記読みとり手段により読みとられた連続する複数枚の片面原稿を前記記憶手段に記憶し、前記印刷手段により１枚の転写紙にまとめて印刷する集約コピー手段と、原稿の読み直しを指示する読み直し指示手段とを備えた画像形成装置において、前記大量原稿読みとり手段により読みとられ前記記憶手段に記憶された原稿束のデータを、前記電子ソート手段によって複数部印刷する際に、前記読み直し指示手段から原稿の読み直しが指示されたとき、前記原稿読みとり単位に分割された原稿束ごとに読み直しを行なうとともに１部のみ試し印刷する原稿読み直し手段を備えたことを特徴としている。
【００１１】
このため、大量原稿モードにおける原稿読みとり単位に分割された原稿束ごとでの読み直しをすることにより、原稿のページ数を数えることなく読み直しをすることができる。
【００１２】
また、本発明は、上記課題を解決するため、前記原稿読み直し手段が読み直しをする原稿束を指定する読み直し原稿束指定手段を備えたことを特徴としている。
【００１３】
このため、大量原稿モードにおける原稿読みとり単位に分割された原稿のうち、読み直しをする原稿を指示することにより、いくつか前に読みとった原稿束の読み直しもすることができる。
【００１４】
また、本発明は、上記課題を解決するため、原稿を載置する載置手段と、前記載置手段に載置された原稿を搬送する搬送手段と、前記搬送手段により搬送された原稿を読みとる読みとり手段と、前記読みとり手段により読みとられた画像情報を記憶する記憶手段と、前記画像情報を転写紙に印刷する印刷手段と、前記載置手段の容量を越える枚数の原稿であって、所定枚数の原稿読みとり単位に分割された原稿束を個々に読み込み、前記記憶手段に記憶する大量原稿読みとり手段と、前記読みとり手段により読みとられた連続する複数枚の片面原稿を前記記憶手段に記憶し、前記印刷手段により転写紙の両面に印刷する両面コピー手段と、原稿の読み直しを指示する読み直し指示手段とを備えた画像形成装置において、前記大量原稿読みとり手段により読みとられ前記記憶手段に記憶された原稿束のデータを複数部印刷する際に、前記読み直し指示手段から原稿の読み直しが指示されたとき、前記原稿読みとり単位に分割された原稿束ごとに読み直しを行なう原稿読み直し手段と、前記大量原稿読みとり手段により読みとられた原稿束を、前記原稿読み直し手段により読み直すとき、読み直しを行う原稿束の先頭ページが、１つ前に読みとった原稿束を印刷した転写紙の裏面に前記両面コピー手段により印刷される場合に警告を発生する両面コピー警告手段と、前記読み直しを行う原稿束の先頭ページが転写紙の裏面に印刷される場合に、前記１つ前に読みとった原稿束の最後の１ページを、前記読み直しを行う原稿束の最初に追加する旨の表示をする第１のメッセージ表示手段と、前記第１のメッセージ表示手段により利用者によって追加された原稿束を読み直す両面コピー読み直し手段とを備えたことを特徴としている。
【００１５】
このため、互いに異なる原稿束の原稿が１枚の転写紙の表裏に両面印刷されたときでも、原稿の読み直し時には、転写紙の表裏を正しく試し印刷することができる。
【００１６】
また、本発明は、上記課題を解決するため、前記読みとり手段により読みとられた連続する複数枚の片面原稿を前記記憶手段に記憶し、前記印刷手段により１枚の転写紙にまとめて印刷する集約コピー手段を備え、前記大量原稿読みとり手段により読みとられた原稿束を、前記原稿読み直し手段により読み直すとき、前記読み直しを行う原稿束の先頭ページが、１つ前に読みとった原稿束を印刷した転写紙に前記集約コピー手段により印刷される場合に警告を発生する集約コピー警告手段と、前記読み直しを行う原稿束の先頭ページが、１つ前に読みとった原稿束を印刷する転写紙に印刷される場合に、前記１つ前に読みとった原稿束の後ろから何ページを前記読み直しを行う原稿束の最初に追加するかを表示する第２のメッセージ表示手段と、前記第２のメッセージ表示手段により利用者によって追加された原稿束を読み直す集約コピー読み直し手段とを備えたことを特徴としている。
【００１７】
このため、互いに異なる原稿束の原稿が１枚の転写紙に集約印刷されたときでも、原稿の読み直し時には、１つ前に読みとった原稿束の原稿を、読み直しをする原稿束に追加して、転写紙に集約される原稿の順番を正しく試し印刷することができる。
【００１８】
【発明の実施の形態】
以下、本発明の実施の形態について、図面を用いて説明する。
［第１の実施の形態］
まず、構成を説明する。
【００１９】
図１は、第１の実施の形態の画像形成装置５００を示す図であり、コピー機能、プリンタ機能、ファクシミリ機能、スキャナ機能等を備えたいわゆる複合機と呼ばれる画像形成装置に適用した例を示している。
【００２０】
図１に示す画像形成装置５００において、自動原稿送り装置（ＡＤＦ）１が備える原稿台２に原稿の画像面を上にして置かれた原稿束は、操作部３０上のプリントキー３４（図２参照）が押下されると、一番下の原稿から給送ローラ３および給送ベルト４によってコンタクトガラス６上の所定の位置に給送されるようになっている。
【００２１】
そして、読みとりユニット５０がコンタクトガラス６上の原稿の画像データを読みとった後、読みとりが終了した原稿は、給送ベルト４及び排送ローラ５によって排出される。続いて、原稿セット検知７が原稿台２に次の原稿が載置されていることを検知すると、前原稿と同様にコンタクトガラス６上に給送される。ここで、給送ローラ３、給送ベルト４および排送ローラ５は図示しないモータによって駆動されるようになっている。
【００２２】
第１トレイ８、第２トレイ９および第３トレイ１０の各給紙トレイに積載された転写紙は、各々第１給紙ユニット１１、第２給紙ユニット１２および第３給紙ユニット１３によって縦搬送ユニット１４に給紙され、縦搬送ユニット１４は感光体１５に当接する位置まで搬送する。読みとりユニット５０により読み込まれた画像データは、書き込みユニット５７が照射するレーザによって感光体１５に書き込まれた後、現像ユニット２７を通過することによってトナー像が形成される。
【００２３】
そして、転写紙は感光体１５の回転と等速で搬送ベルト１６によって搬送されながら、感光体１５上に形成されたトナー像が転写紙に転写される。その後、定着ユニット１７にて画像を定着させ、排紙ユニット１８によって後処理装置としてのフィニシャ１００に排出される。
【００２４】
フィニシャ１００は、切り替え板１０１を備え、画像形成装置５００から排紙された転写紙を、切り替え板１０１により排紙搬送ローラ１０２の方向、またはステープラ１０６の方向に導くようになっている。すなわち、切り替え板１０１を上方に切り替えたときは、転写紙が排紙搬送ローラ１０３を経由して排紙トレイ１０４側に排紙され、切り替え板１０１を下向に切り替えたときは、転写紙がステープラ搬送ローラ１０５、１０７を経由して、ステープルトレイ１０８に搬送され積載される。
【００２５】
ステープルトレイ１０８に積載された転写紙は、一枚搬送される毎に紙揃え用のジョガー１０９によって、紙端面が揃えられ、一部のコピーが完了するとステープラ１０６によって綴じられる。ステープラ１０６で綴じられた転写紙群は自重によって、ステープル完了排紙トレイ１１０に収納される。
【００２６】
一方、排紙トレイ１０４は前後（排出方向に対し両側面の方向）に移動するようになっており、原稿毎、あるいは画像メモリによって電子ソートされたコピー１部毎に前後に移動することにより、画像形成装置５００から排出されるコピー紙の仕分けが行われる。
【００２７】
転写紙の両面に画像を作像する場合は、図示しない分岐爪を、転写紙が両面搬送ユニット１１１に導かれるようにセットする事により、一方の面のみに作像された転写紙を、両面搬送ユニット１１１に蓄えるようになっている。
【００２８】
その後、両面搬送ユニット１１１にストックされた転写紙は再び感光体１５により作像されたトナー画像を転写するために、両面搬送ユニット１１１から再給紙され、経路切り替えの為の図示しない分岐爪の切り替えにより、転写紙を排紙トレイ１０４に導く。この様に両面給紙ユニット１１１は転写紙の両面に画像を作成する場合に、転写紙の裏表を反転するようになっている。
【００２９】
なお、感光体１５、搬送ベルト１６、定着ユニット１７、排紙ユニット１８および現像ユニット２７は、図示しないメインモータによって駆動される。また、各給紙ユニット１１〜１３は、図示しないメインモータの駆動を各々図示しない給紙クラッチによって伝達することにより駆動される。縦搬送ユニット１４は、図示しないメインモータの駆動を図示しない中間クラッチによって伝達することにより駆動される。
【００３０】
図２に、画像形成装置５００に設けられた操作部３０を示す。
【００３１】
操作部３０には、液晶タッチパネル３１、テンキー３２、クリア／ストップキー３３、プリントキー３４、モードクリアキー３５および割り込みキー３６が設けられている。また、液晶タッチパネル３１には、機能キー３７、部数および画像形成装置５００の状態を示すメッセージ等が表示されるようになっている。アプリ切り替えキー３９は、キー押下により選択したアプリケーションに切り替えをするためのものであり、搭載されているアプリケーションの数のキーを備える。例えば、画像形成装置５００をコピー機として動作させるためには、アプリ切り替えキー３９のうち“コピー”と表示されたキーを押下する。また、アプリ切り替えキーにはＬＥＤが内蔵されており、現在選択されているアプリケーション、動作中のアプリケーション、動作の中断等の不具合が発生しているアプリケーションの状態を表すようになっている。
【００３２】
図３は、操作部３０に設けた液晶タッチパネル３１の表示例を示した図である。
【００３３】
液晶タッチパネル３１は、オペレータが液晶タッチパネル３１に表示されたキーにタッチする事で、選択された機能を示すキーが黒く反転するようになっている。また、例えば変倍コピーを行なう際の変倍値等を設定するときのように、選択した機能の詳細設定をするために、機能を選択した際に詳細を設定するための設定画面が表示されるようになっている。なお、変倍とは、画像の読みとり密度を変化させ、読みとった画像データを用いてデータ補間をすること等により行われる。また、本実施の形態では、液晶タッチパネル３１がドット表示により表示されグラフィカルで最適な表示を行なう事ができるようになっている。
【００３４】
本実施の形態において、液晶タッチパネル３１には図３に示すような「コピーできます」、または「お待ちください」等のメッセージを表示するメッセージエリア３０１、セットした枚数を表示するコピー枚数表示部３０２、画像濃度を自動的に調整する機能を選択する自動濃度キー３０３、転写紙を自動的に選択する機能を選択する自動用紙選択キー３０４、コピーを一部ずつページ順にそろえる動作を選択するソートキー３０５、コピーをページ毎に仕分けする動作を選択するスタックキー３０６、ソート処理された転写紙を一部ずつ綴じる動作を選択するステープルキー３０７、拡大倍率および縮小倍率をセットする変倍キー３０９、倍率を等倍にセットする等倍キー３０８、両面モードを設定する両面キー３１０、とじ代モード等を設定する消去／移動キー３１１、スタンプ、日付およびページ等の印字を設定する印字キー３１２が表示されるようになっている。
【００３５】
次に、図１を参照して、読みとりユニット５０および書き込みユニット５７について、両者の動作の説明を交えて詳細に説明する。
【００３６】
読みとりユニット５０は、原稿を載置するコンタクトガラス６と光学走査系で構成されており、光学走査系は、露光ランプ５１、第１ミラー５２、レンズ５３およびＣＣＤイメージセンサ５４を備えている。露光ランプ５１及び第１ミラー５２は図示しない第１キャリッジ上に固定されており、第２ミラー５５および第３ミラー５６は、図示しない第１キャリッジ上に固定されている。また、原稿画像を読みとるときには、光路長が変わらないように、図示しない第１キャリッジと図示しない第２キャリッジとが２対１の相対速度で機械的に走査される。なお、この光学走査系は、図示しないスキャナ駆動モータにて駆動されるようになっている。
【００３７】
原稿画像は、ＣＣＤイメージセンサ５４によって読みとられた後、電気信号に変換されて処理される。レンズ５３及びＣＣＤイメージセンサ５４を図１の左右方向に移動させることにより、画像倍率が変わる。すなわち、指定された倍率に対応してレンズ５３およびＣＣＤイメージセンサ５４の位置が設定されるようになっている。
【００３８】
書き込みユニット５７は、レーザ出力ユニット５８と、結像レンズ５９と、ミラー６０とを有し、レーザ出力ユニット５８はさらに、レーザ光源としての図示しないレーザダイオードと、図示しないモータによって高速で定速回転する図示しない回転多面鏡（ポリゴンミラー）とを内部に有している。
【００３９】
レーザ出力ユニット５８が照射するレーザ光は、定速回転するポリゴンミラー（図示しない）によって偏光され、結像レンズ５９を通り、ミラー６０によって反射されて、感光体１５上に集光結像するようになっている。
【００４０】
ポリゴンミラー（図示しない）によって偏光されたレーザ光は、感光体１５の回転方向と直行する方向（主走査方向）に露光走査され、画像形成装置５００が備える画像処理部６００（図６を用いて後述する）のセレクタ６４から出力された画像信号をライン単位で記録する。感光体１５の回転速度と記録密度に対応した所定の周期で主走査を繰り返すことによって、感光体１５面上に画像（静電潜像）が形成されるようになっている。なお、潜像とは感光体１５面上に画像を光情報に変換して照射することにより生じる電位分布である。
【００４１】
前述したように、書き込みユニット５７から出力されるレーザ光は、感光体１５を照射するが、この感光体１５の一端近傍のレーザ光が照射される位置には、主走査同期信号を発生するビームセンサ（図示しない）が配置されている。この主走査同期信号をもとに主走査方向の画像記録開始タイミングの制御、および後述する画像信号の入出力を行なうための制御信号の生成を行なうようになっている。
【００４２】
次に、図６を用いて画像処理部６００（画像読みとり部５０と画像書き込み部５７の制御部を画像処理部という）の構成について説明する。露光ランプ５１から照射された光は原稿面を照射するようになっており、この照射光の原稿面からの反射光は、結像レンズ（図示せず）により結像され、ＣＣＤイメージセンサ５４により受光および光電変換され、Ａ／Ｄコンバータ６１にてデジタル信号に変換される。
【００４３】
そして、デジタル信号に変換された画像信号は、シェーディング補正６２によってシェーディング補正された後、ＭＴＦ・γ補正部６３によりＭＴＦ補正、γ補正等がなされる。なお、ＭＴＦ補正とは、光学系による画像のボケを補正することである。セレクタ６４は、画像信号の送り先を変倍部７１または画像メモリコントローラ６５のいずれかに切り替えるようになっている。変倍部７１によって、画像信号は所望の変倍率で拡大または縮小され、書き込みユニット５７に送られる。画像メモリコントローラ６５とセレクタ６４の間は、双方向に画像信号が入出力されるように構成されている。なお、図６に示した画像処理部６００は、読みとり部５０から入力される画像データ以外に、外部から供給される画像データ（例えばパーソナルコンピュータ等のデータ処理装置から出力されるデータ）も処理できるように、複数のデータの入出力の選択を行なう機能を有している。
【００４４】
また、ＣＰＵ６８は、画像メモリコントローラ６５等の設定と、読みとりユニット５０および書き込みユニット５７の制御を行なうようになっている。また、ＲＯＭ６９およびＲＡＭ７０は、ＣＰＵ６８が制御を行なうための制御プログラムやデータを格納するようになっている。更にＣＰＵ６８は、画像メモリコントローラ６５を介して、画像メモリ６６へのデータの書き込みおよび画像メモリ６６からのデータの読み出しを行なうようになっている。
【００４５】
ここで、図８を用いてセレクタ６４における１ページ分の画像信号について説明する。
【００４６】
図８において、／ＦＧＡＴＥ８０１は、１ページの画像データの副走査方向の有効期間を表すものである。また、／ＬＳＹＮＣ８０２は、１ライン毎の主走査同期信号を表し、この信号が立ち上がった後の所定クロックで画像信号が有効となる。また、／ＬＧＡＴＥ８０３は、主走査方向の画像信号が有効であることを示す信号である。これらの信号は、画素クロックであるＶＣＬＫ８０４に同期しており、ＶＣＬＫ８０４の１周期に対し１画素のデータが送られてくる。図６で説明した画像処理部６００は、画像入力および画像出力のそれぞれに対して個別に／ＦＧＡＴＥ８０１、／ＬＳＹＮＣ８０２、／ＬＧＡＴＥ８０３、ＶＣＬＫ８０４を発生するようになっており、様々な画像入出力の組み合わせができるようになっている。
【００４７】
次に、図７を参照して、図６に示した画像メモリコントローラ６５および画像メモリ６６の詳細について説明する。
【００４８】
画像メモリコントローラ６５は、入力データセレクタ１２１、画像合成１２２、１次圧縮／伸長１２３、出力データセレクタ１２４および２次圧縮／伸長１２５のブロックを有しており、上記各ブロックへの制御データの設定はＣＰＵ６８（図６参照）により行われるようになっている。
【００４９】
一方、画像メモリ６６は、１次記憶装置１２６および２次記憶装置１２７から構成される。１次記憶装置１２６としては、例えばＤＲＡＭ等の高速アクセスが可能なメモリを使用するものとし、入力画像データの転送速度に略同期してこの１次記憶装置１２６へのデータ書き込み、または画像出力時における１次記憶装置１２６からのデータ読み出しが高速に行なえるようになっている。また、１次記憶装置１２６は、処理を行なう画像データのデータ量に応じて複数のエリアに分割され、画像データの入出力を同時に実行可能な構成となっている。また、各分割したエリアに画像データの入力、出力をそれぞれ並列に実行するために、画像メモリコントローラ６５とのインターフェースをリード用とライト用の二組のアドレス・データ線で接続している。これにより１つのエリアに画像を入力(ライト)する間に他のエリアから画像を出力(リード)するという動作が可能になる。
【００５０】
２次記憶装置１２７は、入力された画像の合成およびソーティングを行なうためのデータを保存する大容量のメモリである。もし、１次記憶装置１２６、２次記憶装置１２７ともに、高速アクセス可能な素子を使用すれば、１次または２次の区別なくデータの処理ができ、また制御も比較的簡単になる。しかし、ＤＲＡＭ等の素子は高価であるため、２次記憶装置１２７にはアクセス速度はそれほど速くない代りに安価で大容量の記録媒体を使用し、入出力データの処理は１次記憶装置１２６を介して行なう構成としている。
【００５１】
上述のような画像メモリ６６の構成とすることによって、大量の画像データの入出力、保存および加工等の処理をすることができる画像形成装置を安価に、かつ、比較的簡単な構成で実現することが可能になる。
【００５２】
次に、画像メモリコントローラ６５の詳細について説明する。
＜１＞画像入力（画像メモリ６６への画像データの保存）
図７において、入力データセレクタ１０１は、複数の画像データの内から、画像メモリ６６の１次記憶装置１２６への書き込みを行なう画像データの選択を行なう。入力データセレクタ１２１によって選択された画像データは、画像合成１２２に供給され、既に画像メモリ６６に保存されている画像データとの合成を行なう。
【００５３】
画像合成１２２によって処理された画像データは、１次圧縮／伸長１２３により圧縮されて、圧縮後の画像データは１次記憶装置１２６に書き込まれる。
【００５４】
１次記憶装置１２６に書き込まれたデータは、必要に応じて２次圧縮／伸長１２５によって更なる圧縮が行われた後、２次記憶装置１２７に保存される。
＜２＞画像出力（画像メモリ６６からの画像データの読み出し）
画像出力時は、１次記憶装置１２６に記憶されている画像データの読み出しを行なう。出力対象となる画像が１次記憶装置１２６に格納されている場合には、１次圧縮／伸長１２３によって１次記憶装置１２６の画像データの伸長を行い、伸長後の画像データ、または伸長後の画像データと入力データとの画像合成が行われた後のデータを、出力データセレクタ１２４により選択し、出力する。
【００５５】
画像合成１２２は、１次記憶装置１２６の画像データと、入力データとの合成（画像データの位相調整も行なわれるようになっている）、および合成後の画像データの出力先の選択等の処理を行なうようになっている。また、合成後の画像データの出力先としては、画像出力、１次記憶装置１２６へのライトバックまたはこれら両方の出力先への同時出力をするようになっている。
【００５６】
また、出力対象となる画像が１次記憶装置１２６に格納されていない場合には、２次記憶装置１２７に格納されている出力対象画像データが、２次圧縮／伸長１２５によって伸長が行われ、伸長後の画像データは１次記憶装置１２６に書き込まれ、以下前述した画像出力動作が行われる。
【００５７】
また、本実施の形態では、定着加熱中の動作予約が可能となっているが、この他にも、時間の経過とともに予約した動作を動作可能にするようにしてもよい。一例としては、ＬＣＴトレイ上昇時間、ポリゴンモータ回転安定時間、トナー補給動作中等を挙げることができる。なお、動作予約とは、複写動作の際の定着加熱中等の時のように直ちにコピー動作を開始できないときでも、モード設定と原稿のセットを終了し次の動作を予約することにより、定着加熱終了後、コピー動作が可能になり次第自動的にコピー動作を開始する機能のことである。
【００５８】
図４は本実施の形態の画像形成装置５００のハード構成図の一例を示す。図４において、画像形成装置５００は、読みとりユニット５０、書き込みユニット５７、システムコントローラ４０３、メモリユニット４０４、利用者制限機器４０５、人体検知センサ４０９、ＣＳＳ（遠隔診断装置）４０７および時計４０８を有している。この内、メモリユニット４０４は、本実施の形態の動作の説明で後述するような電子ソートモードや大量原稿モード等のメモリ機能を実現する場合にのみ必要となり、通常のコピー機能を実現するだけであれば、必要とはならない。更に、時計４０８は、ある特定の時間に、画像形成装置５００を起動したり、シャットダウンするいわゆるウィークリータイマー機能を実現する場合のみ必要となる。また、人体検知センサ４０６は、予熱モード時において画像形成装置５００の前にユーザが近づいたときに自動的に予熱モードを解除する機能を実現する場合のみ必要である。また、ＣＳＳ４０７は、遠隔診断、すなわち画像形成装置５００にエラーが発生した場合に、エラーが発生した旨を自動的にサービスセンターに通報したり、画像形成装置５００の実行状態または使用状態を遠隔地からモニターする機能であるため、このような機能が必要な場合のみ装着されればよい。また、システムコントローラ４０３は、画像形成装置５００の動作を制御するものであり、本実施の形態の動作の説明で後述するような動作を制御する他、コピーモードを実行する際に、書き込みユニット５７で画像形成をするための、紙搬送処理、電子写真プロセス処理、異常状態や給紙カセット状態（紙の有無等）当の機内監視をしたり、読みとりユニット５０で画像を読みとる際の、スキャナ動作や光源のオン・オフ等を制御するものである。さらに、システムコントローラ４０３は、操作部３０、ＡＤＦ１、ソーティングを行なう排紙トレイ１０４、両面搬送ユニット１１１等の制御を行なう。
【００５９】
また、図４に示したメモリユニット４０４内のＤＲＡＭブロック４０４ａは、読みとりユニット５０から読みとった画像信号を記憶するためのもので、システムコントローラ４０３からの要求に応じて、書き込みユニット５７に保存されている画像データを転送することができるようになっている。また、圧縮ブロック４０４ｂは、ＭＨ、ＭＲおよびＭＭＲ方式などの圧縮機能を具備しているので、一旦読みとった画像を圧縮し、メモリ（ＤＲＡＭ）の使用効率の向上を図ることができる。また、書き込みユニット５７から読み出すアドレスとその方向を変えることにより画像を回転することができるようになっている。
【００６０】
なお、以上説明したハード構成例１においては、読みとりユニット５０、書き込みユニット５７、メモリユニット４０４、ＣＳＳ４０７は、システムコントローラ４０３が備える１つのＣＰＵ４０３Ｐのみが制御を行なうようになっている。
【００６１】
一方、図５に示すようなハード構成を採ってもよく、図５に示すハード構成２においては、読みとりユニット４５１、書き込みユニット４５２およびメモリユニット４５４が、それぞれＣＰＵ４５１Ｐ、４５２Ｐおよび４５４Ｐを有し、システムコントローラ４５３から書き込みユニット４５２、読みとりユニット４５１およびメモリユニット４５４へのコマンドは制御信号線で伝達されるようになっている。
【００６２】
図９は、本実施の形態の画像形成装置５００の液晶タッチパネル３１の表示例を示す。
【００６３】
図９は、画像形成装置５００が、電子ソート（セット枚数５枚）および大量原稿モードに設定された状態において、プリントキー３４が押下され、原稿束の読みとりが終了し、次の原稿束の追加待ちの状態であることを示している。なお、原稿読みとりと同時に１部目の印刷は行われているものとする。メッセージエリア３０１に表示されるメッセージとしては、「原稿を追加して下さい。」「原稿の最終ページを終了したら＃キーを押下して下さい。」等の表示が行われるようになっている。また、メッセージエリア３０１の大きさが小さいときは、複数のメッセージを交互に表示するようにしてもよい。
【００６４】
次に、この状態においてテンキー３２に設けられた＃キー３２０が押下されると、原稿の読みとりが終了したものと判断し２部目以降の印刷を継続する。また、液晶タッチパネル３１は原稿読み直しキー３１４が表示されるようになっており、大量原稿モードかつ電子ソートのモードのときに読みとった原稿束を読み直しするときにこの原稿読み直しキー３１４を押すようになっている。
【００６５】
次に動作を説明する。
【００６６】
このような構成を有する画像形成装置５００にあっては、図９に示した次原稿束の追加待ちの状態で、原稿読み直しキー３１４が押下されると、図１０に示すように原稿読み直しモードとなり、原稿束を戻す旨のメッセージがメッセージ表示エリア３０１に表示される。なお、図１０に示した例では、メッセージ表示エリア３０１に「原稿束を１つ戻してください。」と表示されているが、これと併せて「原稿の読み直しを行ないます。」等を表示してもよい。
【００６７】
次に、メッセージに促された利用者により原稿束がセットされると、原稿カウンタを原稿束の読みとり前の値に戻し、原稿の読み直しを行なう。また、このとき、１部目の印刷も同時に行なう。そして、原稿束の読みとりが終了すると、原稿読み直しモードは自動的に解除され、大量原稿モードにおける次原稿待ち状態となる。
【００６８】
図１４は、大量原稿モード時における原稿読みとり単位ごとのページ数保存のフローチャートを示す。ここで、大量原稿モードとは、原稿の枚数がトレイに積載できないほど大量であるときに、この大量の原稿をトレイに積載できる枚数に分割して読み込みを行って、全ての原稿の読みとりが完了したのちにコピー動作を行なうモードのことである。
【００６９】
図１４において、まず動作モードが大量原稿モードであるか否かの判断を行い（Ｓ１１１）、大量原稿モードでなければ、この関数を抜ける(Ｓ１１２)。ステップＳ１１１において大量原稿モードであれば原稿の読みとりを行い(Ｓ１１２)、続いて、原稿カウンタの加算を行なう(Ｓ１１３)。
【００７０】
次に、原稿終了であるかの判断を行い（Ｓ１１４）、原稿の読みとりが終了しておらず、まだ原稿が存在する場合は、原稿の読み散り（Ｓ１１２）および原稿カウンタの加算（Ｓ１１３）を繰り返す。
【００７１】
ステップＳ１１４において、原稿終了であれば、原稿束のページ数を保存する(Ｓ１１５)。
【００７２】
続いて、原稿が追加されたか否かの判断を行い（Ｓ１１６）、原稿が追加されれば、原稿の読みとり（Ｓ１１２）、原稿カウンタの加算（Ｓ１１３）を行なう。
【００７３】
ステップＳ１１６において、原稿の追加が行われていない場合は、原稿の最終ページの読みとりを終了したことを意味する＃キー３２０が押下されたか否かの判断を行なう（Ｓ１１７）。そして、＃キー３２０が押下されていなければ、ステップＳ１１６に戻り、＃キー３２０が押下されれば、原稿読みとり終了とみなし、この関数を抜ける。
【００７４】
次に、図１５を用いて、原稿読み直しの原稿が追加され、原稿読み直しモードが解除されるまでの動作を説明する。
【００７５】
図１５において、まず読み直し原稿が追加されたか否かの判断を行い（Ｓ１２１）、原稿が追加されるまで待ちの状態となる。読み直し原稿が追加されれば、原稿カウンタの戻しを行い、原稿カウンタから原稿束ページ数を減算する(Ｓ１２２)。続いて、原稿の読みとり動作（Ｓ１２３）、原稿カウンタの加算処理を行なう(Ｓ１２４)。
【００７６】
次に、原稿が終了したか否かの判断を行い（Ｓ１２５）、原稿の読みとりが終了していなければ、ステップＳ１２３に戻り、原稿読みとり（Ｓ１２３）および原稿カウンタの加算（Ｓ１２４）を繰り返す。
【００７７】
ステップＳ１２５において、原稿の読みとりが終了したら、読み直しを行なった分の読み直し前の画像を消去して（Ｓ１２６）、原稿読み直しモードを解除し（Ｓ１２７）、この関数を抜ける。
【００７８】
以上のように、本実施の形態では、大量原稿モードでの原稿読みとり単位（原稿束）毎に読み直しをすることにより、原稿のページ数を数えることなく読み直しをすることができる。
［第２の実施の形態］
第２の実施の形態について説明する。なお、全体構成その他の構成は第１の実施の形態と同様であるため、同一構成には同一符号を付して説明を省略し、動作を説明する。
【００７９】
図９に示すような次原稿束の追加待ちの状態のとき、原稿読み直しキー３１４が押下されると、原稿読み直しモードとなり、図１１に示すように原稿読み直しポップアップウィンドウ３１５が開き、読み直し原稿束数の入力を促す。
【００８０】
そして、読み直し原稿束数が入力されると、「原稿束をＮつ戻してください。」等の原稿束を戻す旨のメッセージをメッセージエリア３０１に表示し、原稿束数を反映させる。
【００８１】
原稿束がセットされると、原稿カウンタを原稿束の読み込み前の値に戻し原稿の読み直しを行なう。このとき、１部目の印刷も同時に行なう。原稿束の読み直しが終了すると原稿読み直しモードは自動的に解除され大量原稿モードにおける次原稿待ちの状態となる。
【００８２】
図１６を用いて、原稿読み直しの原稿が追加され原稿読み直しモードが解除されるまでの動作を具体的に説明する。
【００８３】
まず、読み直し原稿が追加されたか否かの判断を行い（Ｓ２１０）、原稿が追加されるまで待ち状態となる。
【００８４】
読み直し原稿が追加されたときは原稿カウンタの戻しすなわち原稿カウンタから原稿束ページ合計を減算する（Ｓ２２０）。
【００８５】
続いて、原稿の読み直し（Ｓ２３０）の動作、原稿カウンタの加算（Ｓ２４０）の処理を行い、原稿が終了したか否かの判断を行なう（Ｓ２５０）。読み直しをする原稿の読みとりが終了していなければステップＳ２３０に戻り原稿読み直し（Ｓ２３０）、原稿カウンタの加算（Ｓ２４０）を繰り返す。
【００８６】
ステップＳ２５０において、原稿の読みとりが終了した場合は読み直しを行なった分の読み直し前の画像を消去して（Ｓ２６０）、原稿読み直しモードを解除し（Ｓ２７０）、この関数を抜ける。
【００８７】
以上のように、本実施の形態では、大量原稿モードで原稿読みとり単位である原稿束毎の読み直しを行い、読み直しをする原稿束を指示することにより、前の原稿束の読み直しもすることができる。
［第３の実施の形態］
第３の実施の形態について説明する。なお、全体構成その他の構成は第１の実施の形態と同様であるため、同一構成には同一符号を付して説明を省略し、動作を説明する。
【００８８】
片面原稿の両面印刷時における原稿読み直し動作のときに、読み直す原稿束の先頭の原稿が転写紙の裏面に印刷されていた場合は、図１２に示すように利用者に警告を行い、転写紙の表面の原稿を読み直しの原稿束に追加する（以下、原稿束の補正という）旨のメッセージを液晶タッチパネル３１に表示する。
【００８９】
原稿束の補正をすることを利用者が選択すると、保存しておいた原稿束のページ数に表面のページ数（１ページ）を加算し、表面の原稿から読み直しを行なう。
【００９０】
図１７を用いて、大量原稿モードにおける片面原稿両面印刷モードの際の、原稿読みとり単位ごとのページ数保存および転写紙の表裏の面確認の動作を具体的に説明する。
【００９１】
まず、大量原稿モードか否かの判断を行い（Ｓ３１１）、大量原稿モードでなければ、この関数を抜ける。
【００９２】
ステップＳ３１１において、動作モードが大量原稿モードである場合は、片面原稿の両面印刷モードか否かの判断を行い（Ｓ３１２）、片面原稿の両面印刷モードでなければ、この関数を抜ける。
【００９３】
ステップＳ３１２において、片面原稿の両面印刷モードである場合は、原稿束の１枚目の原稿であるか否かの判断を行い(Ｓ３１３)、原稿束の１枚目の原稿であれば、原稿の画像が転写紙のおもて面に印刷されるか否かの判断を行なう（Ｓ３１４）。
【００９４】
ステップＳ３１４において、原稿の画像が転写紙の表面に印刷されるのでない場合、すなわち原稿の画像が転写紙の裏面に印刷される場合は、該原稿束が転写紙の裏面から印刷されるという状態を保存する（Ｓ３１５）。
【００９５】
そして、ステップＳ３１３で原稿束の最初の原稿でない場合、ステップＳ３１４で原稿が転写紙の表面である場合およびステップＳ３１５の裏面から転写紙が始まる状態を保存した後に、原稿の読みとり（Ｓ３１６）の動作および原稿カウンタの加算（Ｓ３１７）の処理を行なう。
【００９６】
続いて、原稿終了であるかの判断を行い（Ｓ３１８）、読みとっていない原稿がまだ存在する場合は、原稿読み散り（Ｓ３１６）および原稿カウンタの加算（Ｓ３１７）を繰り返す。
【００９７】
ステップＳ３１８において、原稿終了である場合は、原稿束のページ数を保存する（Ｓ３１９）。
【００９８】
次に、原稿の追加が行われたか否かの判断を行い（Ｓ３１１０）、原稿が追加されれば、原稿読みとり（Ｓ３１６）、原稿カウンタの加算（Ｓ３１７）を行なう。
【００９９】
一方、ステップＳ３１１０において、原稿の追加が行われていない場合は、原稿の最終ページの読みとりを終了したことを意味する＃キー３２０が押下されたかの判断を行い（Ｓ３１１１）、＃キー３２０が押下されていなければ、原稿が追加されたか否かのチェック（Ｓ３１１０）に戻る。一方、＃キー３２０が押下された場合は、原稿読みとり終了とみなしこの関数を抜ける。
【０１００】
次に、図１８に示すフローチャートを参照して、警告表示後から原稿読み直しモードが解除されるまでの動作を説明する。
【０１０１】
まず、原稿束のページ補正をすることを利用者が選択したか否かの判断を行い（Ｓ３２１）、原稿束のページ補正をすることを利用者が選択した場合は、原稿束のページ数を原稿カウンタに加算する（Ｓ３２２）。
【０１０２】
ステップＳ３２２にて原稿束のページ数を加算した後およびステップＳ３２１にて原稿束の補正をしないことを利用者が選択した場合は、読み直し原稿が追加されたか否かの判断を行い（Ｓ３２３）、読み直し原稿が追加されてない場合は原稿が追加されるまで待ち状態となる。
【０１０３】
そして、読み直し原稿が追加された場合は、原稿カウンタから原稿束ページ数合計を減算する（Ｓ３２４）。すなわち、ここでは原稿カウンタの戻しを行なう。
【０１０４】
続いて、原稿の読みとり動作（原稿の読み直し）（Ｓ３２５）をしてから、原稿カウンタの加算処理（Ｓ３２６）を行った後、読みとり原稿が終了したかの判断を行なう（Ｓ３２７）。
【０１０５】
原稿が終了していない場合は、原稿読み直し（Ｓ３２５）、原稿カウンタの加算（Ｓ３２６）を繰り返し、原稿が終了した場合は、読み直しをした分の前画像を消去（Ｓ３２８）してから、原稿読み直しモードを解除してこの関数を抜ける（Ｓ３２９）。
【０１０６】
以上のように、本実施の形態では片面原稿の両面印刷時に一枚の転写紙の表裏に原稿束が異なる原稿の印刷が行なわれる場合に警告表示をし、原稿束の補正ページ数を指示することにより、原稿束が異なる画像の読み直しをすることができる。
［第４の実施の形態］
第４の実施の形態について説明する。なお、全体構成その他の構成は第１の実施の形態と同様であるため、同一構成には同一符号を付して説明を省略し、動作を説明する。
【０１０７】
複数枚の片面原稿を一枚の転写紙にまとめて印刷するいわゆる集約印刷時の原稿読み直しにおいて、読み直しをする原稿の最初の１枚が、集約印刷される転写紙の第１面に印刷されていない場合、すなわち集約印刷で原稿束の切れ目が存在する場合は、図１３に示すように、液晶タッチパネル３１上でその旨を警告するとともに、原稿束の補正（読み直しをする原稿の最初の１枚が、集約印刷される転写紙の第１面に印刷されるようにすることをいう）をするか否かを利用者に問い合わせ、併せて前原稿束の後ろから何枚の原稿を、読み直しをする原稿束に追加しなければならないかのメッセージを表示する。なお、本明細書において集約印刷される転写紙の第１面とは、４枚の原稿を１枚の転写紙に集約印刷する場合を例にとると、転写紙のうち原稿の最初の１枚が印刷されるべきのことをいう。
【０１０８】
原稿束の補正をすることが選択され、読み直しをする原稿束に１つ前の原稿束の原稿が追加されると、原稿カウンタがカウントし保存した読み直しをする原稿束のページ数に追加する原稿のページ数を加算して、集約印刷時に転写紙の第１面となるべき原稿から読み直しを行なう。
【０１０９】
図１９に示すフローチャートを参照して、大量原稿モードかつ集約印刷モード時に原稿の読み直しをするときの動作を説明する。
【０１１０】
まず、大量原稿モードか否かの判断を行い（Ｓ４１１）、大量原稿モードでない場合はこの関数を抜ける。
【０１１１】
大量原稿モードである場合は、集約印刷モードか否かの判断を行い（Ｓ４１２）、集約印刷モードでない場合は、この関数を抜ける。
【０１１２】
Ｓ４１２で集約印刷モードである場合は、原稿束の１枚目の原稿であるか否かの判断を行い（Ｓ４１３）、原稿束の１枚目の原稿である場合は、原稿の画像が転写紙の第１面に印刷されるか否かの判断を行なう（Ｓ４１４）。
【０１１３】
ステップＳ４１４において、原稿の画像が転写紙の第１面に印刷されない場合は、該原稿束が転写紙の第何面から印刷されるかを保存する（Ｓ４１５）。
【０１１４】
ステップＳ４１３で原稿束の１枚目の原稿でない場合、ステップＳ４１４で原稿が転写紙の第１面に印刷される場合およびステップ４１５で原稿束が転写紙の何面から印刷されるのかを保存した後に、原稿の読みとりを行い（Ｓ４１６）、続いて原稿カウンタの加算の処理を行なう（Ｓ４１７）。
【０１１５】
次に、原稿終了であるかの判断を行い（Ｓ４１８）、読みとるべき原稿がまだある場合は、ステップＳ４１６に戻り、原稿がなくなるまで原稿の読みとり（Ｓ４１６）と、原稿カウンタの加算（Ｓ４１７）を繰り返し、原稿終了である場合は、原稿束のページ数を保存する（Ｓ４１９）。
【０１１６】
続いて、原稿の追加が行われたか否かの判断を行い（Ｓ４１１０）、原稿が追加された場合は、ステップＳ４１６に戻り、原稿の追加が行われていない場合は、原稿の最終ページの読みとりを終了したことを意味する＃キー３２０が利用者により押下されたか否かの判断を行い（Ｓ４１１１）、＃キー３２０が押下されていなければ、ステップＳ４１１０の原稿が追加されたか否かのチェックに戻り、＃キー３２０が押下されれば、原稿読みとり終了とみなし、この関数を抜ける。
【０１１７】
次に、図２０に示すフローチャートを参照して、警告表示後から原稿読み直しモードが解除されるまでの動作を説明する。
【０１１８】
まず、原稿束のページ補正をすることを利用者が選択したか否かの判断を行い（Ｓ４２１）、原稿束のページ補正をすることが選択されていれば、原稿束のページ数を加算する（Ｓ４２２）。
【０１１９】
ステップＳ４２１で原稿束のページ補正をすることが選択されない場合およびステップ４２２で原稿束のページ数を加算した後は、読み直し原稿が追加されたか否かの判断を行い（Ｓ４２３）、読み直し原稿が追加されるまでステップ４２３を繰り返して待ち状態となる。
【０１２０】
ステップＳ４２３において、読み直し原稿が追加された場合は、原稿カウンタから原稿束ページ合計を減算して原稿カウンタの戻しを行なう（Ｓ４２４）。
【０１２１】
続いて、原稿の読み直し（Ｓ４２５）と、原稿カウンタの加算処理（Ｓ４２６）を行い、原稿が終了したか否かの判断を行なう（Ｓ４２７）。
【０１２２】
ステップＳ４２７において、原稿が終了していない場合は、ステップＳ４２５に戻り、原稿が終了した場合は、読み直しした分の読み直し前の画像を消去し（Ｓ４２８）、原稿読み直しモードを解除して（Ｓ４２９）、この関数を抜ける。
【０１２３】
このように本実施の形態では、原稿の集約印刷時に同一転写紙で原稿束が異なる画像の印刷が行なわれる場合に警告表示し、原稿束の補正ページ数を指示することにより、原稿束が異なる画像の読み直しをすることができる。
【０１２４】
【発明の効果】
本発明によれば大量原稿モードでの電子ソート処理における原稿の読み直しをする際の操作性を向上することができる。
【図面の簡単な説明】
【図１】本発明の第１〜第４の実施の形態の画像形成装置の全体図
【図２】画像形成装置の操作部を示す図
【図３】操作部の液晶タッチパネルを示す図
【図４】画像形成装置のハードウェア構成図
【図５】画像形成装置のその他のハードウェア構成図
【図６】画像形成装置の画像処理部の構成を示すブロック図
【図７】画像形成装置の画像メモリコントローラおよび画像メモリの構成を示すブロック図
【図８】セレクタ６４における１ページ分の画像信号を示す図
【図９】液晶タッチパネルの表示例を示す図
【図１０】液晶タッチパネルの表示例を示す図
【図１１】液晶タッチパネルの表示例を示す図
【図１２】液晶タッチパネルの表示例を示す図
【図１３】液晶タッチパネルの表示例を示す図
【図１４】第1の実施の形態の動作を示すフロー図
【図１５】第1の実施の形態の動作を示すフロー図
【図１６】第２の実施の形態の動作を示すフロー図
【図１７】第３の実施の形態の動作を示すフロー図
【図１８】第３の実施の形態の動作を示すフロー図
【図１９】第４の実施の形態の動作を示すフロー図
【図２０】第４の実施の形態の動作を示すフロー図
【符号の説明】
１    自動原稿送り装置（ＡＤＦ）
２    原稿台
３    給送ローラ
４    給送ベルト
５    排送ローラ
６    コンタクトガラス
７    原稿セット検知
８    第１トレイ
９    第２トレイ
１０    第３トレイ
１１    第１給紙ユニット
１２    第２給紙ユニット
１３    第３給紙ユニット
１４    縱搬送ユニット
１５    感光体
１６    搬送ベルト
１７    定着ユニット
１８    排紙ユニット
１９    排紙トレイ
２７    現像ユニット
３０    操作部
３１    液晶タッチパネル
３２    テンキー
３３    クリア／ストップキー
３４    プリントキー
３５    モードクリアキー
３６    割り込みキー
３７    機能キー
３８    初期設定キー
３９    アプリ切り替えキー
５０    読みとりユニット
５１    露光ランプ
５２    第１ミラー
５３    レンズ
５４    ＣＣＤイメージセンサ
５５    第２ミラー
５６    第３ミラー
５７    書き込みユニット
５８    レーザ出力ユニット
５９    結像レンズ
６０    ミラー
６１    ＡＤコンバータ
６２    シェーディング補正
６３    ＭＴＦ・γ補正部
６４    セレクタ
６５    画像メモリコントローラ
６６    画像メモリ
６７    Ｉ／Ｏポート
６８    ＣＰＵ
６９    ＲＯＭ
７０    ＲＡＭ
７１    変倍部
１００    フィニッシャ
１０１    切り替え板
１０２    排紙搬送ローラ
１０３    排紙搬送ローラ
１０４    排紙トレイ
１０５    ステープラ搬送ローラ
１０６    ステープラ
１０７    ステープラ搬送ローラ
１０８    ステープルトレイ
１０９    ジョガー
１１０    フィニッシャ
１１０    ステープル完了排紙トレイ
１１１    両面搬送ユニット
１１２    反転ユニット
１１３    両面入紙搬送路
１１４    反転排紙搬送路
１２１    入力データセレクタ
１２２    画像合成
１２３    １次圧縮／伸長
１２４    出力データセレクタ
１２５    ２次圧縮／伸長
１２６    １次記憶装置
１２７    ２次記憶装置
３０１    メッセージエリア
３０２    コピー枚数表示部
３０３    自動濃度キー
３０４    自動用紙選択キー
３０５    ソートキー
３０６    スタックキー
３０７    ステープルキー
３０８    等倍キー
３０９    変倍キー
３１０    両面キー
３１１    消去／移動キー
３１２    印字キー
３１４    原稿読み直しキー
３２０    ＃キー
４０３    システムコントローラ
４０４    メモリユニット
４０４ａ    ＤＲＡＭブロック
４０４ｂ    圧縮ブロック
４０５    利用者制限器機
４０６    人体検知センサ
４０７    ＣＳＳ
４０８    時計
５００    画像形成装置
【図１】
0003898069.tif 000002
【図２】
0003898069.tif 000003
【図３】
0003898069.tif 000004
【図４】
0003898069.tif 000005
【図５】
0003898069.tif 000006
【図６】
0003898069.tif 000007
【図７】
0003898069.tif 000008
【図８】
0003898069.tif 000009
【図９】
0003898069.tif 000010
【図１０】
0003898069.tif 000011
【図１１】
0003898069.tif 000012
【図１２】
0003898069.tif 000013
【図１３】
0003898069.tif 000014
【図１４】
0003898069.tif 000015
【図１５】
0003898069.tif 000016
【図１６】
0003898069.tif 000017
【図１７】
0003898069.tif 000018
【図１８】
0003898069.tif 000019
【図１９】
0003898069.tif 000020
【図２０】
0003898069.tif 000021